(57)【要約】【課題】ブルーレイディスクに対して、簡易であり且つ強力なコピープロテクションキー情報を記録する。【解決手段】  再生専用の光ディスク１には、コピープロテクションキー情報が含まれたＢＭＩＤが記録される誤り訂正ブロックが設定されている。記録されるＢＭＩＤのデータ列は６４バイトである。１つの誤り訂正ブロックは、３０４個（列）の誤り訂正符号語（ＬＤＣ）から構成されている。６４バイトのＢＭＩＤデータ列は、１ブロック（３０４個（列）の誤り訂正符号語）のうちの所定の６４個の誤り訂正符号語（ＬＤＣ）に挿入される。所定の６４個の誤り訂正符号語（ＬＤＣ）は、全符号長が２４８バイトで構成されているが、そのうちの所定の１バイト（シンボル）が、ＢＭＩＤデータ列の所定の１つのバイト（シンボル）と置き換えられている。【選択図】図８
2006209928.tif 000002
【特許請求の範囲】
【請求項１】
ユーザデータに対して誤り訂正符号化処理をし、その後に変調処理をして生成されたデータ系列が記録されている光ディスクを製造する光ディスク製造方法において、
所定のバイト数のユーザデータに対して誤り訂正符号化処理を行うことにより、当該所定のバイト数のユーザデータとその誤り訂正符号とから構成される第１の誤り訂正符号語を生成する第１の誤り訂正符号化工程と、
所定数の上記第１の誤り訂正符号語をブロック化して、１つの記録再生ユニットを生成するブロック化工程と、
付加情報に対して上記ユーザデータの誤り訂正符号化処理と同一の符号化処理を行うことにより、当該付加情報とその誤り訂正符号とから構成される第２の誤り訂正符号語を生成する第２の誤り訂正符号化工程と、
特定の記録再生ユニット中の所定位置のシンボルを、上記第２の誤り訂正符号語を構成するシンボルに置き換える置換工程と、
上記記録再生ユニットに対して上記変調処理を行う変調工程と、
上記第２の誤り訂正符号語が含まれている特定の記録再生ユニットが所定の再生専用領域に記録されるように、上記変調処理がされた記録再生ユニットが記録された光ディスクを生成するディスク生成工程と
を備える光ディスク製造方法。
【請求項２】
上記置換工程は、１つの第１の誤り訂正符号語中の含まれている第２の誤り訂正符号語に置き換えられるシンボルを、多くとも１つとすること
を特徴とする請求項１記載の光ディスク製造方法。
【請求項３】
上記誤り訂正符号は、符号距離が３３とされたリード・ソロモン符号であること
を特徴とする請求項１記載の光ディスク製造方法。
【請求項４】
上記付加情報には、記録されるコンテンツのコピープロテクションキー情報が含まれていること
を特徴とする請求項１記載の光ディスク製造方法。
【請求項５】
上記光ディスクは、再生専用ディスクであること
を特徴とする請求項１記載の光ディスク製造方法。
【請求項６】
ユーザデータに対して誤り訂正符号化処理をし、その後に変調処理をして生成された再生専用のデータ系列が記録される光ディスク製造装置において、
所定のバイト数のユーザデータに対して誤り訂正符号化処理を行うことにより、当該所定のバイト数のユーザデータとその誤り訂正符号とから構成される第１の誤り訂正符号語を生成する第１の誤り訂正符号化手段と、
所定数の上記第１の誤り訂正符号語をブロック化して、１つの記録再生ユニットを生成するブロック化手段と、
上記ユーザデータの付加情報を生成する付加情報生成手段と、
上記付加情報に対して上記ユーザデータの誤り訂正符号化処理と同一の符号化処理を行うことにより、当該付加情報とその誤り訂正符号とから構成される第２の誤り訂正符号語を生成する第２の誤り訂正符号化手段と、
特定の記録再生ユニット中の所定位置のシンボルを、上記第２の誤り訂正符号語を構成するシンボルに置き換える置換手段と
を備える光ディスク製造装置。
【請求項７】
上記置換手段は、１つの第１の誤り訂正符号語中の含まれている第２の誤り訂正符号語に置き換えられるシンボルを、多くとも１つとすること
を特徴とする請求項６記載の光ディスク製造装置。
【請求項８】
上記誤り訂正符号は、符号距離が３３とされたリード・ソロモン符号であること
を特徴とする請求項６記載の光ディスク製造装置。
【請求項９】
上記付加情報には、記録されるコンテンツのコピープロテクションキー情報が含まれていること
を特徴とする請求項６記載の光ディスク製造装置。
【請求項１０】
上記光ディスクは、再生専用ディスクであること
を特徴とする請求項６記載の光ディスク製造装置。
【請求項１１】
所定のバイト数のユーザデータに対して誤り訂正符号化処理を行うことにより当該所定のバイト数のユーザデータとその誤り訂正符号とから構成される第１の誤り訂正符号語を生成し、所定数の上記第１の誤り訂正符号語をブロック化して１つの記録再生ユニットを生成し、付加情報に対して上記ユーザデータの誤り訂正符号化処理と同一の符号化処理を行うことにより当該付加情報とその誤り訂正符号とから構成される第２の誤り訂正符号語を生成し、特定の記録再生ユニット中の所定位置のシンボルを上記第２の誤り訂正符号語を構成するシンボルに置き換え、上記記録再生ユニットに対して変調処理を行う、ことにより生成されたビット列が記録されており、
上記第２の誤り訂正符号語が含まれている特定の記録再生ユニットが所定の再生専用領域に記録されること
を特徴とする光ディスク。
【請求項１２】
１つの第１の誤り訂正符号語中の含まれている第２の誤り訂正符号語に置き換えられるシンボルは、多くとも１つであること
を特徴とする請求項１１記載の光ディスク。
【請求項１３】
上記誤り訂正符号は、符号距離が３３とされたリード・ソロモン符号であること
を特徴とする請求項１１記載の光ディスク。
【請求項１４】
上記付加情報には、記録されるコンテンツのコピープロテクションキー情報が含まれていること
を特徴とする請求項１１記載の光ディスク。
【請求項１５】
再生専用ディスクであること
を特徴とする請求項１１記載の光ディスク。
【請求項１６】
所定のバイト数のユーザデータに対して誤り訂正符号化処理を行うことにより当該所定のバイト数のユーザデータとその誤り訂正符号とから構成される第１の誤り訂正符号語を生成し、所定数の上記第１の誤り訂正符号語をブロック化して１つの記録再生ユニットを生成し、付加情報に対して上記ユーザデータの誤り訂正符号化処理と同一の符号化処理を行うことにより当該付加情報とその誤り訂正符号とから構成される第２の誤り訂正符号語を生成し、特定の記録再生ユニット中の所定位置のシンボルを上記第２の誤り訂正符号語を構成するシンボルに置き換え、上記記録再生ユニットに対して変調処理を行う、ことにより生成されたビット列が記録されており、さらに、上記第２の誤り訂正符号語が含まれている特定の記録再生ユニットが所定の再生専用領域に記録される光ディスクから、信号を再生する再生手段と、
上記再生手段により再生された信号に対して上記変調処理に対応した復調処理を行って記録再生ユニットを生成する復調手段と、
エラー訂正復号処理及び付加情報の復号処理を行う制御手段とを備え、
上記制御手段は、
ユーザデータを出力する場合には、復調された記録再生ユニットに対して第１の誤り訂正符号語毎にエラー訂正復号処理を行ってデータを出力し、
付加情報を出力する場合には、エラー訂正復号処理が行われてない状態の特定の記録再生ユニットの所定位置から第２の誤り訂正符号語を抽出し、抽出した第２の誤り訂正符号語に対してエラー訂正復号処理を行い、エラー訂正復号処理により得られたデータを抽出すること
を特徴とする光ディスク再生装置。
【請求項１７】
上記制御手段は、第１の誤り訂正符号語及び第２の誤り訂正符号語の復号を同一のハードウェアにより行うこと
を特徴とする請求項１６記載の光ディスク再生装置。
【請求項１８】
所定のバイト数のユーザデータに対して誤り訂正符号化処理を行うことにより当該所定のバイト数のユーザデータとその誤り訂正符号とから構成される第１の誤り訂正符号語を生成し、所定数の上記第１の誤り訂正符号語をブロック化して１つの記録再生ユニットを生成し、付加情報に対して上記ユーザデータの誤り訂正符号化処理と同一の符号化処理を行うことにより当該付加情報とその誤り訂正符号とから構成される第２の誤り訂正符号語を生成し、特定の記録再生ユニット中の所定位置のシンボルを上記第２の誤り訂正符号語を構成するシンボルに置き換え、上記記録再生ユニットに対して変調処理を行う、ことにより生成されたビット列が記録されており、さらに、上記第２の誤り訂正符号語が含まれている特定の記録再生ユニットが所定の再生専用領域に記録される光ディスクから、信号を再生し、
再生された信号に対して上記変調処理に対応した復調処理を行い、
ユーザデータを出力する場合には、復調された記録再生ユニットに対して第１の誤り訂正符号語毎にエラー訂正復号処理を行ってデータを出力し、
付加情報を出力する場合には、エラー訂正復号処理が行われてない状態の特定の記録再生ユニットの所定位置から第２の誤り訂正符号語を抽出し、抽出した第２の誤り訂正符号語に対してエラー訂正復号処理を行い、エラー訂正復号処理により得られたデータを抽出すること
を特徴とする光ディスク再生方法。
【請求項１９】
第１の誤り訂正符号語及び第２の誤り訂正符号語の復号を同一のハードウェアにより行うこと
を特徴とする請求項１８記載の光ディスク再生方法。
【発明の詳細な説明】
【技術分野】
【０００１】
本発明は、コピープロテクションキー情報等の付加情報が記録された光ディスクの製造方法及び装置、コピープロテクションキー情報等の付加情報が記録された光ディスク、並びに、コピープロテクションキー情報等の付加情報が記録された光ディスクの再生方法及び装置に関するものである。
【背景技術】
【０００２】
音楽や映像などの著作物情報をデジタル化して記録することができる情報記録媒体として、ＣＤやＤＶＤなどの再生専用の光ディスクが広く知られている。
【０００３】
ＣＤやＤＶＤのような光ディスクは、円板状基板の凹凸情報を著作物のデジタル情報に対応させて記録されている。このため、いわゆるカジュアルコピーと言われる、ディスクから再生したデータをハードディスク上に一旦コピーした後、追記メディアへのコピーするような簡易的なコピーが可能となってしまい、著作権保護の観点から問題となっている。
【０００４】
このようなカジュアルコピーを防止するために、コピープロテクションキー情報を光ディスクに記録しておき、当該コピープロテクションキー情報を復号が可能な正式機器のみがコンテンツを再生できるようなシステムを構築することが提案されている。
【０００５】
【特許文献１】特開２００４−６３００８号公報
【特許文献２】特開平９−１２８８９０号公報
【発明の開示】
【発明が解決しようとする課題】
【０００６】
また、近年、ＣＤやＤＶＤの次世代の記録媒体であるＢＤ（ブルーレイディスク  商標）が提案されている。
【０００７】
このＢＤにも、上記のコピープロテクションキー情報を記録することが望ましい。
【０００８】
そこで、本発明では、簡易であり且つ強力なコンテンツの保護を図ることが可能な、コピープロテクションキー情報等の付加情報が記録された光ディスクの製造方法及び装置、コピープロテクションキー情報等の付加情報が記録された光ディスク、並びに、コピープロテクションキー情報等の付加情報が記録された光ディスクの再生方法及び装置を提供することを目的とする。
【課題を解決するための手段】
【０００９】
本発明に係る光ディスク製造方法は、ユーザデータに対して誤り訂正符号化処理をし、その後に変調処理をして生成されたデータ系列が記録されている光ディスクを製造する光ディスク製造方法において、所定のバイト数のユーザデータに対して誤り訂正符号化処理を行うことにより、当該所定のバイト数のユーザデータとその誤り訂正符号とから構成される第１の誤り訂正符号語を生成する第１の誤り訂正符号化工程と、所定数の上記第１の誤り訂正符号語をブロック化して、１つの記録再生ユニットを生成するブロック化工程と、付加情報に対して上記ユーザデータの誤り訂正符号化処理と同一の符号化処理を行うことにより、当該付加情報とその誤り訂正符号とから構成される第２の誤り訂正符号語を生成する第２の誤り訂正符号化工程と、特定の記録再生ユニット中の所定位置のシンボルを、上記第２の誤り訂正符号語を構成するシンボルに置き換える置換工程と、上記記録再生ユニットに対して上記変調処理を行う変調工程と、上記第２の誤り訂正符号語が含まれている特定の記録再生ユニットが所定の再生専用領域に記録されるように、上記変調処理がされた記録再生ユニットが記録された光ディスクを生成するディスク生成工程とを備える。
【００１０】
本発明に係る光ディスク製造装置は、ユーザデータに対して誤り訂正符号化処理をし、その後に変調処理をして生成された再生専用のデータ系列が記録される光ディスク製造装置において、所定のバイト数のユーザデータに対して誤り訂正符号化処理を行うことにより、当該所定のバイト数のユーザデータとその誤り訂正符号とから構成される第１の誤り訂正符号語を生成する第１の誤り訂正符号化手段と、所定数の上記第１の誤り訂正符号語をブロック化して、１つの記録再生ユニットを生成するブロック化手段と、上記ユーザデータの付加情報を生成する付加情報生成手段と、上記付加情報に対して上記ユーザデータの誤り訂正符号化処理と同一の符号化処理を行うことにより、当該付加情報とその誤り訂正符号とから構成される第２の誤り訂正符号語を生成する第２の誤り訂正符号化手段と、
特定の記録再生ユニット中の所定位置のシンボルを、上記第２の誤り訂正符号語を構成するシンボルに置き換える置換手段とを備える。
【００１１】
本発明に係る光ディスクは、所定のバイト数のユーザデータに対して誤り訂正符号化処理を行うことにより当該所定のバイト数のユーザデータとその誤り訂正符号とから構成される第１の誤り訂正符号語を生成し、所定数の上記第１の誤り訂正符号語をブロック化して１つの記録再生ユニットを生成し、付加情報に対して上記ユーザデータの誤り訂正符号化処理と同一の符号化処理を行うことにより当該付加情報とその誤り訂正符号とから構成される第２の誤り訂正符号語を生成し、特定の記録再生ユニット中の所定位置のシンボルを上記第２の誤り訂正符号語を構成するシンボルに置き換え、上記記録再生ユニットに対して変調処理を行う、ことにより生成されたビット列が記録されており、上記第２の誤り訂正符号語が含まれている特定の記録再生ユニットが所定の再生専用領域に記録されることを特徴とする。
【００１２】
本発明に係る光ディスク再生装置は、所定のバイト数のユーザデータに対して誤り訂正符号化処理を行うことにより当該所定のバイト数のユーザデータとその誤り訂正符号とから構成される第１の誤り訂正符号語を生成し、所定数の上記第１の誤り訂正符号語をブロック化して１つの記録再生ユニットを生成し、付加情報に対して上記ユーザデータの誤り訂正符号化処理と同一の符号化処理を行うことにより当該付加情報とその誤り訂正符号とから構成される第２の誤り訂正符号語を生成し、特定の記録再生ユニット中の所定位置のシンボルを上記第２の誤り訂正符号語を構成するシンボルに置き換え、上記記録再生ユニットに対して変調処理を行う、ことにより生成されたビット列が記録されており、さらに、上記第２の誤り訂正符号語が含まれている特定の記録再生ユニットが所定の再生専用領域に記録される光ディスクから、信号を再生する再生手段と、上記再生手段により再生された信号に対して上記変調処理に対応した復調処理を行って記録再生ユニットを生成する復調手段と、エラー訂正復号処理及び付加情報の復号処理を行う制御手段とを備え、上記制御手段は、ユーザデータを出力する場合には、復調された記録再生ユニットに対して第１の誤り訂正符号語毎にエラー訂正復号処理を行ってデータを出力し、付加情報を出力する場合には、エラー訂正復号処理が行われてない状態の特定の記録再生ユニットの所定位置から第２の誤り訂正符号語を抽出し、抽出した第２の誤り訂正符号語に対してエラー訂正復号処理を行い、エラー訂正復号処理により得られたデータを抽出することを特徴とする。
【００１３】
本発明に係る光ディスク再生方法は、所定のバイト数のユーザデータに対して誤り訂正符号化処理を行うことにより当該所定のバイト数のユーザデータとその誤り訂正符号とから構成される第１の誤り訂正符号語を生成し、所定数の上記第１の誤り訂正符号語をブロック化して１つの記録再生ユニットを生成し、付加情報に対して上記ユーザデータの誤り訂正符号化処理と同一の符号化処理を行うことにより当該付加情報とその誤り訂正符号とから構成される第２の誤り訂正符号語を生成し、特定の記録再生ユニット中の所定位置のシンボルを上記第２の誤り訂正符号語を構成するシンボルに置き換え、上記記録再生ユニットに対して変調処理を行う、ことにより生成されたビット列が記録されており、さらに、上記第２の誤り訂正符号語が含まれている特定の記録再生ユニットが所定の再生専用領域に記録される光ディスクから、信号を再生し、再生された信号に対して上記変調処理に対応した復調処理を行い、ユーザデータを出力する場合には、復調された記録再生ユニットに対して第１の誤り訂正符号語毎にエラー訂正復号処理を行ってデータを出力し、付加情報を出力する場合には、エラー訂正復号処理が行われてない状態の特定の記録再生ユニットの所定位置から第２の誤り訂正符号語を抽出し、抽出した第２の誤り訂正符号語に対してエラー訂正復号処理を行い、エラー訂正復号処理により得られたデータを抽出することを特徴とする。
【発明の効果】
【００１４】
本発明によれば、簡易であり且つ強力な著作権保護を図ることができる。
【発明を実施するための最良の形態】
【００１５】
以下、本発明が適用された光ディスク、その製造方法及び再生方法について説明をする。
【００１６】
光ディスクの物理特性及びＢＭＩＤ
本発明が適用された光ディスク１の基本な物理特性について説明をする。
【００１７】
光ディスク１は、ＢＤ（ブルーレイディスク  商標）と呼ばれているディスクであり、ＢＤのうちのユーザにより書き込みができない再生専用のディスクである。光ディスク１は、半径Ｒが６０ｍｍ、ディスク厚ｄが１２ｍｍである。再生のためのレーザ波長は４０５ｎｍであり、いわゆる青紫色レーザが用いられる。対物レンズのＮＡは０．８５である。
【００１８】
光ディスク１には、コピープロテクションキー情報が記録されている。
【００１９】
コピープロテクションキー情報は、例えば光ディスク１に記録されている情報を再生したり、ハードディスク等の他の記録媒体にコピーしたりする際に、認証処理を行うために用いられる情報である。例えば、ディスクドライブ装置は、光ディスク１から読み出されるコピープロテクションキー情報と、ユーザが入力装置を用いて入力したコピープロテクションキー情報とが一致した場合に、再生やコピーを許可する。このため、例えば、ユーザが正しいコピープロテクションキー情報を認識していない場合、光ディスクが不正に生成されたもので正しいコピープロテクションキー情報が光ディスクに記録されていない場合には、再生やコピーを禁止することができる。従って、光ディスク１にコピープロテクションキー情報が記録されていることによって、光ディスク１に記録されているコンテンツ等の著作権を保護することができる。
【００２０】
光ディスク１に記録されているコピープロテクションキー情報のことを、以下、ＢＭＩＤと呼ぶ。
【００２１】
光ディスクの製造方法
つぎに、光ディスク１の製造方法を説明する。
【００２２】
（全体説明）
図１に、光ディスク１の製造方法の処理フローを示す。
【００２３】
光ディスク１の製造は、図１に示すように、データ生成工程Ｓ１と、原盤作成工程Ｓ２と、ディスク生成工程Ｓ３とから構成される。
【００２４】
データ生成工程Ｓ１では、光ディスク１上に記録するビット系列（ランド-ピットのパターン）を生成する。
【００２５】
原盤作成工程Ｓ２では、フォトレジストを塗布したガラス原盤に対して、データ生成工程Ｓ１で生成したビット系列（ランド-ピットのパターン）に応じてレーザを照射して、記録トラックに沿った凹凸のパターンを形成する。続いて、凹凸のパターンを記録したレジストを現像処理して原盤上に定着処理し、原盤に表面に電解めっきを施こして金属原盤を作成する。
【００２６】
ディスク生成工程Ｓ３では、作成された金属原盤をもとにスタンパを作成し、成形金型内にスタンパを配置して、射出成型機を用いてポリカーボネート等の透明樹脂により光ディスク１を大量に生成する。
【００２７】
（データ生成工程Ｓ１の全体の流れ）
データ生成工程Ｓ１での処理工程を更に詳細に説明をする。
【００２８】
データ生成工程Ｓ１では、図１に示すステップＳ１１〜ステップＳ１８、ステップＳ２１〜ステップＳ２４の処理が行われる。
【００２９】
まず、ステップＳ１１において、光ディスク１に記録するファイルデータや音楽，映像のコンテンツデータ、各種制御データ等（以下、これらを総称してユーザデータという。）を生成する
続いて、ステップＳ１２において、ユーザデータを６４ｋバイト毎のデータ群に分割し、６４ｋバイトのデータ群をさらに２０４８バイト×３２個のデータ群に細分化する。そして、２０４８バイトのデータ群（ユーザデータ）毎に４バイトの誤り検出コード（ＥＤＣ）を付加し、合計３２個×２０５２バイトのデータ群にする。
【００３０】
続いて、ステップＳ１３において、この３２個の２０５２バイトのデータ群単位で所定のスクランブルを施す。
【００３１】
続いて、ステップＳ１４において、スクランブルを施した３２×２０５２バイトのデータ群を２１６バイト×３０４列にブロック化し、さらに、各列のユーザデータ（２１６バイトのデータ列）に対してリード・ソロモン符号化処理を行い、それぞれの符号列に３２バイトの誤り訂正符号を付加する。この結果、２４８バイト×３０４列のブロックが形成される。
【００３２】
続いて、ステップＳ１５において、２４８バイト×３０４列のブロックを、所定のインタリーブを行って並び替える。
【００３３】
続いて、ステップＳ１６において、所定のインタリーブを行ったの値のデータ群に対して、フレームシンク及びＢＩＳを挿入し、１５５行（フレームシンク除く）×４９６バイト列から構成される誤り訂正ブロック（ＥＣＣクラスタ）を形成する。
【００３４】
一方、データ生成工程Ｓ１では、ＢＭＩＤも生成する。
【００３５】
まず、ステップＳ２１において、１２８ビットのＢＭＩＤにリザーブ情報やダミーデータを付加して、ＢＭＩＤデータ列を生成する。続いて、ステップＳ２２において、ＢＭＩＤデータ列に対してリード・ソロモン符号化処理を行い、誤り訂正コード（ＥＣＣ）を付加する。続いて、ステップＳ２３において、誤り訂正符号が付加されたＢＭＩＤデータ列を、３２×２０５２バイトのデータフレームにマッピングする。続いて、ステップＳ２４において、３２×２０５２バイトにマッピングされたＢＭＩＤデータ列に対して、ステップＳ１３と同様のスクランブル処理を施す。
【００３６】
続いて、ステップＳ１７において、ステップＳ１６で生成した誤り訂正ブロック（ＥＣＣクラスタ）のうちの、ある特定の誤り訂正ブロック（ＥＣＣクラスタ）に対して、その誤り訂正ブロックの所定の位置のバイトデータ（シンボル）と、ステップＳ２４で生成したＢＭＩＤが含まれたＢＭＤＩデータ列の各シンボルとを置き換える。
【００３７】
そして、最後に、ステップＳ１８において、生成した全ての誤り訂正ブロックに対して、１−７パリティ保存変調及びＮＲＺＩ変換を施して、光ディスク１の記録トラックに形成するビット系列（ランド-ピットのパターン）を発生する。
【００３８】
（スクランブル処理）
つぎに、スクランブル処理（ステップＳ１３，ステップＳ２４）について説明をする。
【００３９】
スクランブル処理では、３２×２０５２バイトのデータ群を１つのブロック（データフレーム）として取り扱い、このブロック（データフレーム）単位でスクランブル処理をする。
【００４０】
スクランブル処理に用いられる演算は、下記式（１１）の多項式である。
【００４１】
Φ（ｘ）＝Ｘ１６＋Ｘ１５＋Ｘ１３＋Ｘ４＋１    （１１）
具体的には、図２（Ａ）に示すように、１６段（S0,S1,S2,…,S14,S15）のビット単位のシフトレジスタ１１と、１５段目（S14）の出力値と１６段目（S16）の出力値とのＥＸ-ＯＲ演算を行う第１のＥＸ-ＯＲ回路１２と、１３段目（S13）の出力値と第１のＥＸ-ＯＲ回路１２の出力値とのＥＸ-ＯＲ演算を行う第２のＥＸ-ＯＲ回路１３と、４段目（S3）の出力値と第２のＥＸ-ＯＲ回路１３の出力値とのＥＸ-ＯＲ演算を行う第３のＥＸ-ＯＲ回路１４とから構成されるスクランブル回路１０により処理が行われる。
【００４２】
シフトレジスタ１１の各ビットレジスタ（Sx）{xは０〜１５の整数}は、１クロック毎に、次の段のビットレジスタ（Sx+1）に内部に保持しているビット値をシフトする。なお、スクランブル回路１０では、ビットシフトレジスタ１１の初段のビットレジスタ（S0）には、第３のＥＸ-ＯＲ回路１４の出力値が格納される。
【００４３】
スクランブル回路１０は、２０５２バイトのデータ群毎にスクランブルを行う。
【００４４】
スクランブル回路１０は、ユーザデータ又ＢＭＩＤデータ列の１バイト毎に、８ビットシフトを繰り返す。スクランブル回路１０は、８ビットシフトを行う毎に、ユーザデータ又ＢＭＩＤデータ列の１バイトがシフトレジスタ１１の後段８ビット（S8-S15）にパラレルロードされ、シフトレジスタ１１の前段８ビット（S0-S7）からスクランブル後のデータがパラレル出力される。スクランブル回路１０は、８ビットシフトを２０５１回繰り返し、スクランブル後のデータ（バイト）を２０５２バイト出力する。
【００４５】
シフトレジスタ１１の初期値（スクランブルの種）は、当該ユーザデータ又ＢＭＩＤデータ列が書き込まれるセクタの物理セクタ番号（ＰＳＮ）が用いられる。物理セクタ番号（ＰＳＮ）は４バイトで表されるが、初期値としてプリセットする値はその一部である。具体的には、図２（Ｂ）に示すように、ビットレジスタ（S0-S14）には、物理ブロック番号（ＰＳＮ）の６ＬＳＢ−２０ＬＳＢ（ＰＳ５−ＰＳ１９）がプリセットされ、ビットレジスタ（S15）には、“１”がプリセットされる。従って、プリセットされた直後のビットレジスタ（S0-S７）の出力値が、最初のスクランブル後の１バイト目のデータとなり、８ビット分ビットシフトした後のビットレジスタ（S0-S７）の出力値が２バイト目のデータとなる。
【００４６】
なお、セクタのサイズは、２ｋバイトである。従って、１つのブロック（３２×２０５２バイトのデータ群）は、３２個のセクタに記録されることとなる。しかしながら、１つのブロック（３２セクタ分のデータ）に対して初期値としてプリセットする値（スクランブルの種）は、全て先頭のセクタの物理ブロック番号（ＰＳＮ）である。
【００４７】
（誤り訂正符号化処理）
つぎに、ユーザデータ及びＢＩＳに対する誤り訂正符号化処理（ステップＳ１４，ステップＳ２２）について説明をする。
【００４８】
ユーザデータは、図３に示すように、２０５２バイトのデータ単位とされている。２０５２バイトのデータ単位は、１セクタ分のユーザデータ（２０４８バイト）に４バイトのＥＤＣ（エラー検出コード）を付加したデータである。さらに、この２０５２バイトのデータが３２個集まり、１つのデータ群（データフレーム）を形成している。
【００４９】
誤り訂正符号化処理ステップでは、３２×２０５２バイトのデータを２１６バイト×３０４列に分割し、各列（２１６バイト）毎にＲＳ（２４８，２１６，３３）の符号化処理を行って３２バイトの誤り訂正符号（ＥＣＣ）を生成する。つまり、ユーザデータには、全符号長２４８シンボル、有効データ長２１６シンボル、距離３３のリード・ソロモン符号化処理がされる。３２バイトの誤り訂正符号（ＥＣＣ）は、２１６バイトのユーザデータの後段に付加される。
【００５０】
このため、ユーザデータは、図４に示すように、誤り訂正符号語（ＬＤＣ）の符号長が２４８シンボル（バイト）となり、さらに、１データフレームに３０４個（列）の誤り訂正符号語（ＬＤＣ）が生成されることとなる。
【００５１】
ＢＩＳは、７２０バイトのデータから構成される。誤り訂正符号化処理ステップでは、７２０バイトのＢＩＳのデータを、３０バイト×２４列に分割し、各列（３０バイト）毎にＲＳ（６２，３０，３３）の符号化処理を行って３２バイトの誤り訂正符号（ＥＣＣ）を生成する。つまり、ＢＩＳには、全符号長６０シンボル、有効データ長３０シンボル、距離３３のリード・ソロモン符号化処理がされる。３２バイトの誤り訂正符号（ＥＣＣ）は、３０バイトのユーザデータの後段に付加される。
【００５２】
このため、ＢＩＳは、図５に示すように、誤り訂正符号語の符号長が６２シンボル（バイト）となり、さらに、１データフレームに２４個列の誤り訂正符号語が生成されることとなる。
【００５３】
（インタリーブ処理及びフレーム構造）
つぎに、インタリーブ処理及びフレーム構成処理（ステップＳ１５，ステップＳ１６）について説明する。
【００５４】
誤り訂正符号化処理がされたユーザデータの誤り訂正符号語（ＬＤＣ）は、第１のインタリーブ処理が行われ、続いて、第２のインタリーブ処理が行われる。その後に、ＢＩＳ及びフレームシンクが挿入され、図６に示すようなデータ構造に変換される。なお、図６のデータ構造において、行方向の１５５バイトのデータ単位のことをフレームという。
【００５５】
第１のインタリーブ処理では、まず、ユーザデータの誤り訂正符号語（ＬＤＣ）に対して  図４の０，２，４，…といった偶数番目のシンボルが０，２，４番目のフレーム（図６の行方向）に位置し、図４の１，３，５，…といった奇数番目のシンボルが１，３，５番目のフレーム（図６の行方向）に位置するように、インタリーブ長が２シンボルの範囲内でインタリーブ処理を行う。
【００５６】
第２のインタリーブ処理では、第１のインタリーブ処理で並べ替えられた後の各シンボルを左側へインタリーブする。インタリーブ量はフレーム位置で異なる。具体的には、フレーム番号（図６の最も上のフレームを０とする。）をＮとしたとき、Ｎ番目のフレームの各シンボルについては、（Ｎ×（０−４９５）／２の商）×３だけ、左側にシフトする。つまり、フレーム番号０、１のフレームの各シンボルは、０シンボル分の左シフトし、フレーム番号２，３のフレームの各シンボルは３シンボル分左シフトし、フレーム番号４、５のフレームの各シンボルは６シンボル分左シフトする。
【００５７】
以上のようにインタリーブ処理をすると、１フレームが３８バイト×４（＝１５２バイト）のデータから構成され、１つのブロックに４９６のフレームが形成される。
【００５８】
このように４９６フレームのフレーム構造した後、フレームシンク及びＢＩＳを挿入する。
【００５９】
フレームシンクは、フレームの同期信号であり、各フレーム（１５５バイト（図６の行方向））の先頭に配置されている。
【００６０】
ＢＩＳは、各フレームのフレームシンクを除く３８バイト毎に１バイト挿入されている。ＢＩＳには、アドレス情報等が含まれている。このアドレスは、ＲＯＭディスク等で、ウォブルグルーブによるアドレス情報がない場合等に用いられる。
【００６１】
ＢＩＳは、ユーザデータ（ＬＤＣ）の誤り訂正符号より訂正能力が非常に優れた誤り訂正符号が付加されており、ほぼ全て訂正される。このため、エラーが検出されたＢＩＳのシンボルは次のように使うことができる。すなわち、ＥＣＣのデコードの際、ＢＩＳを先にデコードする。隣接したＢＩＳ或いはフレームシンクの２つが共にエラーの場合、両者の間に挟まれた３８バイトのユーザデータはバーストエラーとみなされる。この３８バイトのユーザデータには、それぞれエラーポインタが付加される。ユーザデータでは、このエラーポインタをつかって、ポインターイレージャ訂正を行う。このため、ユーザデータの訂正能力を向上させることができる。
【００６２】
（ＢＭＩＤの誤り訂正符号化フォーマット）
つぎに、ＢＭＩＤの誤り訂正符号化フォーマット（ステップＳ２１，ステップ２２）について説明をする。
【００６３】
ＢＭＩＤは、１２８ビット（１６バイト）となっている。
【００６４】
ＢＭＩＤは、図７に示すように、誤り訂正符号化がされる。すなわち、１８４バイトのダミーデータ（全て、ＦＦｈ）、ＢＭＩＤ（１６バイト）、リザーブデータ（１６バイト）から構成される２１６バイトのデータ列に対して、３２バイトの誤り訂正符号が付加される。
【００６５】
ＢＭＩＤには、この２１６バイトに対して、ＲＳ（２４８，２１６，３３）の符号化処理が行われる。つまり、全符号長２４８シンボル、有効データ長２１６シンボル、距離３３のリード・ソロモン符号化処理がされる。この誤り訂正符号は、ユーザデータ（ＬＤＣ）の誤り訂正符号と同じ符号である。このため、ＢＭＩＤの誤り訂正符号化を行うハードウェアは、ユーザデータ（ＬＤＣ）のハードウェアと同じコアブロックを使うことができ、コストダウンができる。
【００６６】
なお、ＢＭＩＤを記録する際は、ダミーデータの１８４バイトを除いた６４バイトを記録する。ダミーデータは、全てＦＦｈと既知であるので、誤り訂正能力としては、ＲＳ（６４、３２、３３）相当となり、結果として訂正能力が強い符号となる。
【００６７】
以下、この６４バイトのデータ列をＢＭＩＤデータ列と呼ぶ。
【００６８】
そして、このようなＢＭＩＤを一旦３２×２０５２バイトのデータフレームに割り当てられ、その後に、スクランブル処理がされる。
【００６９】
（ＢＭＩＤのシンボルの置き換え処理）
つぎに、ＢＭＩＤのシンボルの置き換えの処理（ステップＳ１７）について説明をする。
【００７０】
６４バイトのＢＭＩＤデータ列は、特定の誤り訂正ブロックに記録される。さらに、６４バイトのＢＭＩＤデータ列は、特定の誤り訂正ブロック中の特定の位置のデータと置き換えられることにより、その特定の誤り訂正ブロック中に記録がされる。
【００７１】
図８に、ユーザデータの誤り訂正符号語（ＬＤＣ）上における、ＢＭＩＤの置き換え位置の具体的な配置を示す。
【００７２】
この図８に示すように、ユーザデータの１つの誤り訂正ブロックは、３０４個（列）の誤り訂正符号語（ＬＤＣ）から構成されている。６４バイトのＢＭＩＤデータ列は、１ブロック（３０４個（列）の誤り訂正符号語）のうちの所定の６４個の誤り訂正符号語（ＬＤＣ）に挿入される。
【００７３】
所定の６４個の誤り訂正符号語（ＬＤＣ）は、全符号長が２４８バイトで構成されているが、そのうちの所定の１バイト（シンボル）が、ＢＭＩＤデータ列の所定の１つのバイト（シンボル）と置き換えられている。
【００７４】
例えば、図８に示すように、ＢＭＩＤデータ列の１バイト目のシンボル（Ｄ０）は１番目（codeword=0）の誤り訂正号語（ＬＤＣ）の１バイト目（Row=0）のシンボルと置き換えられ、ＢＭＩＤデータ列の２バイト目のシンボル（Ｄ１）は７番目（codeword=6）の誤り訂正号語（ＬＤＣ）の２バイト目（Row=1）のシンボルと置き換えられ、ＢＭＩＤデータ列の３バイト目のシンボル（Ｄ２）は１３番目（codeword=12）の誤り訂正号語（ＬＤＣ）の３バイト目（Row=2）のシンボルと置き換えられる。
【００７５】
すなわち、ＢＭＩＤデータ列のＸバイト目（Ｘは自然数）のシンボル（ＤＸ−１）は、Ｙ番目（codeword=Y-1）の誤り訂正号語のＸバイト目（Row=X-1）のシンボルと置き換えられる。なお、Ｙ＝（（（Ｘ−１）×６）／３０４の余り）である。
【００７６】
このようにＢＭＩＤデータ列を置き換えることによって、図９に示すように、インタリーブ処理後のＢＭＩＤデータ列の挿入位置は、１行目、３行目、５行目、…、１２７行目のフレームの先頭のシンボル（フレームシンクの直後のシンボル）に位置することとなる。
【００７７】
すなわち、シンボルの置き換えの処理（ステップＳ１７）では、ユーザデータの誤り訂正符号語（ＬＤＣ）の１つ（２４８バイト）に含まれている、ＢＭＩＤデータ列のシンボル数は多くとも１つとなるように、ＢＭＩＤデータ列を特定の誤り訂正ブロック中の特定の位置に置き換えている。
【００７８】
このようにＢＭＩＤデータ列を挿入しておくことによって、ユーザデータを再生する場合には、当該ユーザデータの誤り訂正符号語（ＬＤＣ）に対して誤り訂正処理を行えばよい。つまり、ＢＭＩＤに置き換えているシンボルは、誤り訂正処理により消滅してしまう。
【００７９】
一方、ＢＭＩＤデータ列を再生する場合には、ユーザデータの誤り訂正符号語（ＬＤＣ）に対して誤り訂正処理を行わないようにすればよい。
【００８０】
この結果、ユーザデータ中にＢＭＩＤを互いに干渉させることなく記録することができる。
【００８１】
（ディスクレイアウト）
つぎに、光ディスク１のディスクレイアウトについて、図１０を参照して説明をする。
【００８２】
光ディスク１は、内周側から、リードインゾーン２１と、データゾーン２２と、リードアウトゾーン２３とから構成される。
【００８３】
リードインゾーン２１は、半径２４ｍｍより内側に位置し、半径２２．３−２３．１ｍｍに、コピープロテクションキー情報（ＢＭＩＤ）が記録され、半径２３．１−２４ｍｍにはディスク管理情報が記録されている。
半径２４−５８ｍｍにデータゾーン、半径５８−５８．５ｍｍにはリードアウトゾーンがある。
【００８４】
データゾーン２２は、半径２４−５８ｍｍの領域に形成されている。データゾーン２２は、実際にユーザが情報を記録再生する領域である。リードアウトゾーン２３には、リードインゾーン２１と同様、ディスク管理情報が記録される。また、シークの際、オーバーランしてもよいようにバッファエリアとしても使われる。
【００８５】
（原盤作成の際の記録装置）
図１１は、原盤作成の際の記録装置のブロック構成図を示している。
【００８６】
記録装置３０では、光ディスク１に記録するビット系列（ランド-ピットの記録パターン）が記録補償回路３１に入力される。記録補償回路３１では、形成されるピットが、再生したときジッターが小さい波形になるように、記録波形を例えばパルストレインとするように記録波形補償する。記録補償回路３１により記録補償された波形がレーザドライバ３２へ入力する。レーザドライバ３２は、光学ヘッド３３のレーザダイオード３４をオン/オフし、対物レンズ３５で光ビームをディスク原盤３６上に集光し、当該ディスク原盤３６へ記録トラックを形成する。サーボ回路３７は、光学ヘッド３４内の２（若しくは１）軸アクチュエータのサーボ、及び、光学ヘッド３４のシーク制御を行う。スピンドル回路３８は、ディスク原盤３６を回転させるスピンドルモータの制御を行う。システムコントローラ３９は、１７ＰＰデータエンコーダと通信を行うとともに各ブロックの制御を行う。
【００８７】
ＢＭＩＤの再生
つぎに、ＢＭＩＤの再生方法について説明をする。
【００８８】
図１２に、ＢＭＩＤの再生フローを示す。
【００８９】
まず、光ディスク１から、ＢＭＩＤの記録されているクラスタの信号を再生する。
【００９０】
続いて、ステップＳ３１において、再生された信号からフレームシンクを検出し、フレームシンク同期を行う。続いて、フレームシンク同期タイミングにもとづいて、再生信号の１７ＰＰ変調を復調する。１７ＰＰを復調した後、図９のＥＣＣクラスタのデータが再生される。
【００９１】
続いて、ステップＳ３２において、デインタリーブ処理を行う。デインタリーブ処理では、前述したＬＤＣの第１、第２のインタリーブ処理とは逆の、以下に示す配置変換をＥＣＣクラスタからＬＤＣブロックへ行い、図１３に示すような誤り訂正符号語（ＬＤＣ）のブロックのデータを再生する。
【００９２】
最初に、第２のインタリーブ処理に対応したデインタリーブをする。フレーム番号Ｎとしたとき、（Ｎ×（０−４９５）/２の商）×３のシンボル数だけフレーム内の各シンボルを右へシフトする。つまり、フレーム番号０、１のフレームでは各シンボルを０個右シフトし、フレーム番号２，３のフレームでは各シンボルを３個右シフトし、フレーム番号４，５のフレームでは各シンボルを６個右シフトする。
【００９３】
次に第１のインタリーブ処理に対応したデインタリーブをする。第１のデインタリーブをされた後で、ＥＣＣブロックの、０、２、…といった偶数行のフレームのシンボルは、ＬＤＣブロックの０，２，…といった偶数番列の誤り訂正符号語（ＬＤＣ）のシンボル位置に配置される。１,３,・・・といった奇数行のフレームのシンボルは、ＬＤＣブロックの１,３,・・・といった奇数番列の誤り訂正符号語（ＬＤＣ）のシンボル位置に配置される。
【００９４】
続いて、ユーザデータを再生する場合には、ステップＳ３３及びステップＳ３４の処理がされ、ＢＭＩＤを再生する場合には、ステップＳ３５以降の処理がされる。
【００９５】
ユーザデータを再生する場合、ステップＳ３３において、ＬＤＣブロックの３０４個の各誤り訂正符号語（ＬＤＣ）に対してエラー訂正処理を行う。
【００９６】
続いて、ステップＳ３４において、デスクランブル処理が行われる。アドレスであるＰＳＮ（Physical Sector Number）を種としたデスクランブル方法で、ＥＤＣを加えた３２セクタのデータがデスクランブルされる。
【００９７】
デスクランブルされた後、３２の各セクタでＥＤＣのチェックがされ、ユーザデータが再生される。
【００９８】
このようなユーザデータの中には、誤り訂正符号語（ＬＤＣ）に、ＢＭＩＤデータ列の最大１つのシンボル（１バイトのデータ）が記録されている。
【００９９】
ユーザデータの誤り訂正符号語（ＬＤＣ）に対して誤り訂正処理を行うことにより、ＢＭＩＤデータ列はＬＤＣのエラー訂正処理の中でエラーとして処理され、ユーザデータが訂正されて再生される。ＢＭＩＤブロックデータは再生されない。
【０１００】
このことによって、ＢＭＩＤについては、別のディスクへのカジュアルコピーといわれる、再生したディスクのデータをハードディスク上に一旦コピーした後、追記メディアへのコピーすることは防止できる。再生した光ディスク１のデータは、エラー訂正処理された後のデータが再生装置から例えばＡＴＡＰＩＦから出力されるので、ＢＭＩＤはコピーされないからである。
【０１０１】
一方、ＢＭＩＤを再生する際は、ステップＳ３５において、ステップＳ３３のエラー訂正復号処理は行わずに、デスクランブル処理が行われる。
【０１０２】
続いて、ステップＳ３６において、３２×２０５２バイトのデータフレームから、６４バイトのＢＭＩＤデータ列を抽出する。
【０１０３】
続いて、ステップＳ３７において、ＢＭＩＤデータ列に対して誤り訂正処理を行う。この結果、ＢＭＩＤとして１６バイト、１２８ビットの情報が再生される。
【０１０４】
なお、ＢＭＩＤデータの誤り訂正処理は、ユーザデータの誤り訂正処理と同一のハードウェアを利用して行うことができる。
【０１０５】
（ディスク再生装置）
つぎに、光ディスク１の再生を行う本発明が適用されたディスク再生装置について説明をする。
【０１０６】
図１４に、本発明が適用されたディスク再生装置４０のブロック構成図を示す。
【０１０７】
ディスク再生装置４０は、光学ヘッド４１と、再生回路４２と、復調回路４３と、ＢＭＩＤデコーダ４４と、サーボ回路４５と、スピンドル回路４６と、システムコントローラ４７と、ＡＶシステム４８とを備えている。
【０１０８】
光学ヘッド４１は、レーザダイオードを含む光学系、反射光から再生信号及びエラー信号を検出する再生用光検出装置、２軸アクチュエータ等から構成されて、光ディスク１に記録されている信号を再生する。
【０１０９】
再生回路４２は、光学ヘッド４１から出力された再生信号が入力され、再生信号に対してＰＬＬ等を行い、２値化信号を再生する。
【０１１０】
復調回路４３は、１７ＰＰ変調の復調処理、デインタリーブ、誤り訂正符号の復号処理、出スクランブル処理を行う。１７ＰＰ変調の復調処理は、１７ＰＰ変調されたデータを復調する。デインタリーブは、インタリーブされたデータを、記録前の誤り訂正符号系列にもどすため、データをデインタリーブする。誤り訂正符号の復号処理は、誤り訂正デコードを行う。また、復調回路４３は、アドレス情報も再生する。また、エラー検出コードのチェックも行う。
【０１１１】
ＢＭＩＤデコーダ４４は、復調回路４３において、誤り訂正処理をせずにえられた特定の誤り訂正ブロックからＢＭＩＤデータ列を抽出し、当該ＢＭＩＤデータ列の誤り訂正処理を行う。誤り訂正がされた後、ＢＭＩＤはＡＶシステム４８に供給される。
【０１１２】
サーボ回路４５は、光学ヘッド４１の２軸アクチュエータのサーボ制御、光学ヘッド４１のシーク制御を行う。
【０１１３】
スピンドル回路４６は、光ディスク１を回転させるスピンドルモータの制御を行う。
【０１１４】
システムコントローラ４７は、ＡＶシステム４８と通信を行うとともに、各ブロックの制御を行う。
【０１１５】
ＡＶシステム４８は、光ディスク１から再生された音楽や映像の表示及び出力、システム全体の制御等を行う。
【０１１６】
例えば、ＢＭＩＤを再生する場合、ＡＶシステム４８から、再生コマンドがシステムコントローラ４７に送られる。システムコントローラ４７は、復調回路４３よりアドレス情報を取得し、サーボ回路４５にシーク制御をさせ、光学ヘッド４１をＢＭＩＤが記録されたクラスタのアドレス位置に移動させ、そのアドレスから信号を取得する。
【０１１７】
ＢＭＩＤが記録されたクラスタから得られた再生信号は、光学ヘッド４１から再生回路４２に供給されて再生される。再生されたデータは、復調回路４３に送られる。復調回路４３では、ＢＭＩＤが記録されたクラスタに記録されたユーザデータを復調する。復調されたユーザデータは、誤り訂正がされる。誤り訂正されたユーザデータは、エラー検出チェックされる。ここで、ユーザデータ内に含まれているＢＭＩＤデータは、ユーザデータの誤り訂正処理により、ユーザデータに訂正される。すなわち、ＢＭＩＤは消滅し、ユーザデータからはＢＭＩＤは得られない。従って、ユーザデータをそのまま他のメディアにコピーしても、ＢＭＩＤはコピーされない。
【０１１８】
復調されたユーザデータに含まれているＢＭＩＤデータ列は、誤り訂正が行われる前に復調回路４３からＢＭＩＤデコーダ４４に送られ、ＢＭＩＤデコーダ４４で誤り訂正等が行われたてＢＭＩＤがデコードされる。デコードされたＢＭＩＤは、ＢＭＩＤデコーダ４４からＡＶシステム４８に送られる。
【０１１９】
また、ＡＶストリームを再生する場合、ＡＶシステム４８より、再生コマンドがシステムコントローラ４７に送られる。システムコントローラ４７は復調回路４３よりアドレス情報を取得し、サーボ回路４５にシーク制御をさせ、光学ヘッド４１をそのＡＶストリームが記録されたクラスタのアドレス位置に移動させ、そのアドレスから信号を取得する。
【０１２０】
そのＡＶストリームが記録されたクラスタから得られた再生信号は、光学ヘッド４１から再生回路４２に供給されて、再生される。再生データは、復調回路４３により復調される。復調されたビットストリームは誤り訂正される。誤り訂正されたビットストリームは、エラー検出チェックされる。エラー検出チェックがされたビットストリームは、画像再生ビットストリームとしてＡＶシステム４８に送られる。
【０１２１】
ＢＭＩＤが記録された記録可能ディスク
つぎに、ブルーレイディスクのうち、ユーザにより記録可能なディスクに対して、ＢＭＩＤを記録する場合について説明をする。
【０１２２】
図１５に、ブルーレイディスクのうちの記録可能な光ディスク（記録用光ディスク５０）のディスクレイアウトを示す。
【０１２３】
記録用光ディスク５０は、内周側から、リードインゾーン５１、データゾーン５２、リードアウトゾーン５３とから構成される。
【０１２４】
リードインゾーン５１は、半径２４ｍｍより内側に位置し、半径２２．３−２３．１ｍｍにプリレコーディングデータゾーン５４、半径２３．１−２４ｍｍにはテストライトエリア及びディフェクトマネージメントエリア５５がある。
【０１２５】
データゾーン５２は、半径２４−５８ｍｍの範囲に形成されている。リードアウトゾーン５３は、半径５８−５８.５ｍｍの範囲に形成されている。
【０１２６】
プリレコーディングデータゾーン５４は、再生だけを行う領域（PB zone）である。
【０１２７】
プリレコーディングデータゾーン５４を除いた他の領域は、フェーズチェンジマークで記録が可能な領域（rw zone）である。
【０１２８】
プリレコーディングデータゾーン５４は、予めディスクの記録条件等の情報を、トラッキングを行うため、ディスク上にスパイラル状に形成されたグルーブをウォブリングすることによって記録してある。
【０１２９】
テストライトエリアは、記録再生パワー等、フェーズチェンジマークの記録再生条件を設定するために使用される。ディフェクトマネージメントエリアは、ディフェクト情報を管理する情報を記録再生する。
【０１３０】
データゾーン５２は、実際に、ユーザがデータを記録再生する領域である。
【０１３１】
リードアウトゾーン５３には、リードインゾーン５１と同様、ディフェクトマネージングエリアがあり、ディフェクト情報を管理する情報を記録再生する。また、シークの際、オーバーランしてもよいようにバッファエリアとして用いられる。
【０１３２】
ここでは、フェーズチェンジ記録膜に記録再生するリライタブルディスクとして説明したが、追記型記録膜に記録再生する追記型ディスクにＢＭＩＤを記録してもよい。
【０１３３】
プリレコーディングデータゾーン５４には、予めディスクの記録条件等に使う情報をディスク上にスパイラル状に形成されたグルーブをウォブリングすることによって記録してある。
【０１３４】
さらに、このプリレコーディングデータゾーン５４には、ＢＭＩＤが記録されている。
【０１３５】
記録用光ディスク５０では、このＢＭＩＤに含まれるコピープロテクションキー情報として、例えば、次のようなことが行われる。
【０１３６】
ＢＭＩＤは、ブルーレイディスク（商標）を用いてビジネスを行うドライブメーカーやディスクメーカーは、予め、ブルーレイディスクの管理団体に登録されている。ドライブメーカーやディスクメーカーは、その管理団体に登録されていることを示すドライブキー又はメディアキーを与えられている。あるディスクメーカーから販売されたディスクには、そのディスクメーカーのディスクキーがＢＭＩＤに含められて記録される。また、あるドライブメーカーにより作成されたドライブにより情報記録されたディスクには、そのドライブメーカーのドライブキーがＢＭＩＤに記録される。
【０１３７】
ここで、メディアキー又はドライブキーがハッキングされてしまったとする。この場合、ハッキングされたドライブキー又はメディアキーは、コピープロテクションキー情報としてドライブが保持する。そのため、ハッキングして得たＢＭＩＤを有しているディスクは、ＢＭＩＤの認証がドライブで行われることにより、記録再生できなくすることができる。
【０１３８】
ＢＭＩＤのシンボルの置き換えの他の例
つぎに、ＢＭＩＤのシンボルの置き換えの処理（ステップＳ１７）での変化例について説明する。
【０１３９】
６４バイトのＢＭＩＤデータ列は、１ブロック（３０４個（列）の誤り訂正符号語）のうちの所定の６４個の誤り訂正符号語（ＬＤＣ）に挿入されれば、いずれの誤り訂正符号語に挿入されてもよい。
【０１４０】
また、２４８バイト（シンボル）から構成される誤り訂正符号語（ＬＤＣ）のうち、所定の１つのシンボル（１バイト）がＢＭＩＤデータ列の所定の１シンボル（１バイト）と置き換えられるが、そのシンボル位置はどの位置であってもよい。
【０１４１】
例えば、図１６に示すように、パリティ（誤り訂正符号）部分と置き換えても良い。
【０１４２】
すなわち、図１６に示すように、ＢＭＩＤデータ列の１バイト目のシンボル（Ｄ０）は１番目（codeword=0）の誤り訂正号語（ＬＤＣ）の２１７バイト目（Row=216）のシンボルと置き換えられ、ＢＭＩＤデータ列の２バイト目のシンボル（Ｄ１）は２番目（codeword=1）の誤り訂正号語（ＬＤＣ）の２１７バイト目（Row=216）のシンボルと置き換えられ、ＢＭＩＤデータ列の３バイト目のシンボル（Ｄ２）は３番目（codeword=2）の誤り訂正号語（ＬＤＣ）の２１８バイト目（Row=217）のシンボルと置き換えられる。
【０１４３】
このようにＢＭＩＤデータ列を置き換えることによって、図１７に示すように、インタリーブ処理後のＢＭＩＤデータ列の挿入位置は、４３３行目、４３３行目、４３５行目、…、４９６行目のフレームの先頭のシンボル（フレームシンクの直後のシンボル）に位置することとなる。
【０１４４】
すなわち、シンボルの置き換えの処理では、ユーザデータの誤り訂正符号語（ＬＤＣ）の１つ（２４８バイト）に含まれている、ＢＭＩＤデータ列のシンボル数は多くとも１つとなるように、ＢＭＩＤデータ列を特定の誤り訂正ブロック中の特定の位置に置き換えていれば、それがパリティ部分であってもよい。
【図面の簡単な説明】
【０１４５】
【図１】本発明を適用した光ディスクの製造工程を示すフローチャートである。
【図２】スクランブル回路の構成を示す図である。
【図３】誤り検出コード（ＥＤＣ）が付加された状態のユーザデータのフォーマットを示す図である。
【図４】誤り訂正コード（ＥＣＣ）が付加された状態のユーザデータのフォーマットを示す図である。
【図５】ＢＩＳのフォーマットを示す図である。
【図６】フィジカルクラスタのデータ構成を示す図である。
【図７】ＢＵＩＤのフォーマットを示す図である。
【図８】ユーザデータの誤り訂正符号語（ＬＤＣ）上における、ＢＭＩＤの置き換え位置の具体的な配置を示す図である。
【図９】誤り訂正ブロック（ＥＣＣクラスタ）上における、ＢＭＩＤの置き換え位置の具体的な配置を示す図である。
【図１０】本発明が適用された光ディスクのディスクレイアウトを示す図である。
【図１１】原盤作成のための記録装置の構成を示す図である。
【図１２】ＢＭＩＤの再生手順のフローチャートを示す図である。
【図１３】誤り訂正ブロック（ＥＣＣクラスタ）上からＢＭＩＤを抽出する際の位置を示す図である。
【図１４】光ディスクの再生装置のブロック構成図である。
【図１５】記録可能な光ディスクのディスクレイアウトを示す図である。
【図１６】ユーザデータの誤り訂正符号語（ＬＤＣ）上における、ＢＭＩＤの置き換え位置の具体的な配置（誤り訂正符号上に配置した場合）を示す図である。
【図１７】誤り訂正ブロック（ＥＣＣクラスタ）上における、ＢＭＩＤの置き換え位置の具体的な配置（誤り訂正符号上に配置した場合）を示す図である。
【符号の説明】
【０１４６】
１  光ディスク、３０  記録装置、４０  再生装置
【図１】
2006209928.tif 000003
【図２】
2006209928.tif 000004
【図３】
2006209928.tif 000005
【図４】
2006209928.tif 000006
【図５】
2006209928.tif 000007
【図６】
2006209928.tif 000008
【図７】
2006209928.tif 000009
【図８】
2006209928.tif 000010
【図９】
2006209928.tif 000011
【図１０】
2006209928.tif 000012
【図１１】
2006209928.tif 000013
【図１２】
2006209928.tif 000014
【図１３】
2006209928.tif 000015
【図１４】
2006209928.tif 000016
【図１５】
2006209928.tif 000017
【図１６】
2006209928.tif 000018
【図１７】
2006209928.tif 000019